【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】
凹部を有するプラットフォームと、一方の面に光学的部分を有する光素子と、光導波路と、を使用する光モジュールの製造方法であって、
前記凹部内に、前記光素子を、前記一方の面が前記凹部の開口側を向くように搭載する第１工程と、
前記光導波路の端面の周囲に設けられたガイド部と、前記プラットフォームに設けられた被ガイド部と、を嵌合させて位置合わせするとともに、前記光導波路の端面と前記光学的部分とが対向するように、前記光導波路を前記プラットフォームに搭載する第２工程と、
を含む光モジュールの製造方法。
【請求項２】
請求項１記載の光モジュールの製造方法において、
前記ガイド部は、前記光導波路の端面よりも、前記光導波路の軸方向に突出するピンであり、
前記被ガイド部は、前記凹部を避けて形成された穴であり、
前記ピンを前記穴に挿通して前記第２工程を行う光モジュールの製造方法。
【請求項３】
請求項２記載の光モジュールの製造方法において、
前記光導波路には、前記端面の周囲に、前記ピンを固定する固定部が設けられた光モジュールの製造方法。
【請求項４】
請求項１記載の光モジュールの製造方法において、
前記被ガイド部は窪みであり、前記窪みの内側には前記凹部が形成され、
前記ガイド部を、前記窪みに嵌め合わせて前記第２工程を行う光モジュールの製造方法。
【請求項５】
請求項３記載の光モジュールの製造方法において、
前記固定部には、前記プラットフォームを向く側に導電膜が形成され、
前記プラットフォームには、配線層が形成され、
前記第２工程において、前記配線層と前記光素子とを前記導電膜に接触させ、前記光素子と前記配線層とを電気的に接続する光モジュールの製造方法。
【請求項６】
請求項４記載の光モジュールの製造方法において、
前記ガイド部には、前記プラットフォームを向く側に導電膜が形成され、
前記プラットフォームには、配線層が形成され、
前記第２工程において、前記配線層と前記光素子とを前記導電膜に接触させ、前記光素子と前記配線層とを電気的に接続する光モジュールの製造方法。
【請求項７】
請求項１から請求項４のいずれかに記載の光モジュールの製造方法において、
前記光素子は、前記光学的部分を有する面に電極を有し、
前記プラットフォームには、前記凹部を含む領域に配線層が形成され、
前記凹部の内側に形成された前記配線層と、前記電極と、をワイヤによって電気的に接続することをさらに含む光モジュールの製造方法。
【請求項８】
請求項１から請求項７のいずれかに記載の光モジュールの製造方法において、
前記プラットフォームの前記凹部の内側であって、前記光学的部分の前記一方の面側にレンズ部を設けることをさらに含む光モジュールの製造方法。
【請求項９】
請求項１から請求項８のいずれかに記載の光モジュールの製造方法において、
前記凹部は、複数段を形成する複数の底面を有し、最下部の底面から開口方向に広くなるように形成されてなる光モジュールの製造方法。
【請求項１０】
請求項１から請求項９のいずれかに記載の光モジュールの製造方法によって製造されてなる光モジュール。
【請求項１１】
凹部を有するプラットフォームと、
一方の面に光学的部分を有し、前記凹部の開口部側に前記一方の面を向けて配置された光素子と、
前記光学的部分に端面を向けて配置された光導波路と、
前記光導波路の前記端面の周囲に設けられた位置合わせ用のガイド部と、
前記プラットフォームに設けられ、前記ガイド部と嵌合された被ガイド部と、
を含む光モジュール。
【請求項１２】
請求項１１記載の光モジュールにおいて、
前記ガイド部は、前記光導波路の端面よりも、前記光導波路の軸方向に突出するピンであり、
前記被ガイド部は、前記凹部を避けて形成された穴であり、
前記ピンは前記穴に挿通されてなる光モジュール。
【請求項１３】
請求項１２記載の光モジュールにおいて、
前記光導波路には、前記端面の周囲に前記ピンを固定する固定部が設けられた光モジュール。
【請求項１４】
請求項１１記載の光モジュールにおいて、
前記被ガイド部は窪みであり、前記窪みの内側には前記凹部が形成され、
前記ガイド部は、前記窪みに嵌め合わされてなる光モジュール。
【請求項１５】
請求項１３記載の光モジュールにおいて、
前記固定部には、前記プラットフォームを向く側に導電膜が形成され、
前記プラットフォームには、配線層が形成され、
前記配線層と前記光素子とが前記導電膜に接触することによって、前記光素子と前記配線層とが電気的に接続されてなる光モジュール。
【請求項１６】
請求項１４記載の光モジュールにおいて、
前記ガイド部には、前記プラットフォームを向く側に導電膜が形成され、
前記プラットフォームには、配線層が形成され、
前記配線層と前記光素子とが前記導電膜に接触することによって、前記光素子と前記配線層とが電気的に接続されてなる光モジュール。
【請求項１７】
請求項１１から請求項１４のいずれかに記載の光モジュールにおいて、
前記光素子は、前記光学的部分を有する面に電極を有し、
前記プラットフォームには、前記凹部を含む領域に配線層が形成され、
前記凹部の内側に形成された前記配線層と、前記電極と、がワイヤによって電気的に接続されてなる光モジュール。
【請求項１８】
請求項１１から請求項１７のいずれかに記載の光モジュールにおいて、
前記プラットフォームの前記凹部の内側であって、前記光学的部分の前記一方の面側に設けられたレンズ部をさらに含む光モジュール。
【請求項１９】
請求項１１から請求項１８のいずれかに記載の光モジュールにおいて、
前記凹部は、複数段を形成する複数の底面を有し、最下部の底面から開口方向に広くなるように形成されてなる光モジュール。
【請求項２０】
凹部を有する第１及び第２のプラットフォームと、
前記第１のプラットフォームの前記凹部の開口側に、発光部を有する面を向けて搭載された発光素子と、
前記第２のプラットフォームの前記凹部の開口側に、受光部を有する面を向けて搭載された受光素子と、
前記発光部に一方の端面を向けて配置され、前記受光部に他方の端面を向けて配置された光導波路と、
前記光導波路の両方の端面の周囲に設けられた位置合わせ用のガイド部と、
前記第１及び第２のプラットフォームに設けられ、いずれかの前記ガイド部が取り付けられた被ガイド部と、
を含む光伝達装置。
【請求項２１】
請求項２０記載の光伝達装置において、
前記受光素子に接続されるプラグと、
前記発光素子に接続されるプラグと、
をさらに含む光伝達装置。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】
【手続補正１５】
【補正対象書類名】明細書
【補正対象項目名】００５５
【補正方法】削除
【補正の内容】
【手続補正１６】
【補正対象書類名】明細書
【補正対象項目名】００５６
【補正方法】削除
【補正の内容】
【手続補正１７】
【補正対象書類名】明細書
【補正対象項目名】００５７
【補正方法】削除
【補正の内容】
【手続補正１８】
【補正対象書類名】明細書
【補正対象項目名】００５８
【補正方法】削除
【補正の内容】
【手続補正１９】
【補正対象書類名】明細書
【補正対象項目名】００５９
【補正方法】削除
【補正の内容】
【手続補正２０】
【補正対象書類名】明細書
【補正対象項目名】００６０
【補正方法】削除
【補正の内容】
【手続補正２１】
【補正対象書類名】明細書
【補正対象項目名】００６１
【補正方法】削除
【補正の内容】